(57)【特許請求の範囲】
【請求項１】
複数の固体光源を有する光源装置を制御する光源制御装置であって、
前記光源装置から射出されるべき光の光量である目標光量を示す情報に基づいて、前記光源装置の制御周期内における前記固体光源の発光時間と消灯時間との比であるデューティー比を、離散的な複数のデューティー比のうちから１つ選択して決定する決定部と、
前記決定部で決定されたデューティー比を有し、前記複数の固体光源のうちの少なくとも１つの固体光源を駆動する位相を、他の固体光源を駆動する位相と異ならせる制御信号を生成して前記複数の固体光源の駆動制御を行う駆動制御部と、
前記決定部で決定されるデューティー比に応じて、前記固体光源に供給する電流の電流値を制御する電流制御部と
を備えることを特徴とする光源制御装置。
【請求項２】
前記決定部は、前記光源装置から射出される光の光量と前記デューティー比との関係を示す第１テーブルを有しており、該第１テーブルを用いて前記目標光量に応じたデューティー比を決定することを特徴とする請求項１記載の光源制御装置。
【請求項３】
前記電流制御部は、前記光源装置から射出される光の光量、前記デューティー比、及び前記固体光源に供給される電流の電流値の関係を示す第２テーブルを有しており、該第２テーブルを用いて前記目標光量及び前記デューティー比に応じた電流値を有する電流を前記固体光源に供給することを特徴とする請求項１記載の光源制御装置。
【請求項４】
前記複数の固体光源は、発光及び消灯を個別に制御可能なｎ個（ｎは２以上の整数）のブロックに区分されており、
前記決定部は、前記目標光量をｍ％（ｍは０≦ｍ≦１００を満たす数）とし、ｍ／（１００／ｎ）なる式で得られる値の小数点以下を切り上げた値をａとすると、前記デューティー比Ｄ％をａ×（１００／ｎ）なる式で得られる値に決定し、
前記駆動制御部は、位相が互いに３６０／ｎ度だけずれたｎ個の制御信号を生成し、
前記電流制御部は、前記固体光源に供給する電流の電流値を、前記目標光量が１００％である場合に前記固体光源に供給される電流の電流値の（ｍ／Ｄ）×１００％に制御する
ことを特徴とする請求項１記載の光源制御装置。
【請求項５】
複数の固体光源を有する光源装置を制御する光源制御方法であって、
前記光源装置から射出されるべき光の光量である目標光量を示す情報に基づいて、前記光源装置の制御周期内における前記固体光源の発光時間と消灯時間との比であるデューティー比を、離散的な複数のデューティー比のうちから１つ選択して決定し、
決定されたデューティー比を有し、前記複数の固体光源のうちの少なくとも１つの固体光源を駆動する位相を、他の固体光源を駆動する位相と異ならせる制御信号を生成して前記複数の固体光源の駆動制御を行い、
決定された前記デューティー比に応じて、前記固体光源に供給する電流の電流値を制御する
ことを特徴とする光源制御方法。
【請求項６】
光源装置と、表示すべき画像の画像信号に基づいて該光源装置からの光を変調する光変調装置と、該光変調装置で変調された光をスクリーンに投射する投射光学系とを備えるプロジェクターにおいて、
前記光源装置を制御する請求項１から請求項４の何れか一項に記載の光源制御装置を備えることを特徴とするプロジェクター。
【請求項７】
前記画像信号から前記目標光量を示す情報を求める目標光量算出部を備えることを特徴とする請求項６記載のプロジェクター。
【請求項８】
前記目標光量算出部で求められた前記目標光量に応じて、前記光変調装置の変調に用いられる画像信号の伸張処理を行う伸張処理部を備えることを特徴とする請求項７記載のプロジェクター。
【発明の詳細な説明】
【技術分野】
【０００１】
本発明は、光源制御装置及び方法並びにプロジェクターに関する。
【背景技術】
【０００２】
ＬＤ（Laser Diode：レーザダイオード）、ＬＥＤ（Light Emitting Diode：発光ダイオード）等の固体光源は、消費電力が低い、寿命が長い、発熱量が少ない、小型化が可能である、点灯・消灯の制御が容易である等の利点を有する。このため、近年では、固体光源が様々な分野で急速に用いられ始めている。例えば、スクリーン上に画像を表示するプロジェクターでは、主に、消費電力及び発熱量を抑え、小型・軽量化を図る目的で、固体光源が積極的に用いられ始めている。
【０００３】
固体光源は、パルス幅変調（ＰＷＭ：Pulse Width Modulation）制御されることが多い。これは、ディジタル回路での制御が容易である、一定の光量が安定して得られる、高効率である等の理由からである。プロジェクターで用いられる固体光源は、ユーザにちらつき（フリッカー）が視認されることがないよう、数百Ｈｚ程度の制御周波数でＰＷＭ制御される。また、プロジェクターに設けられる光変調装置（固体光源からの光を画像信号に応じて変調するライトバルブ等）も、ユーザにフリッカーが視認されることがない周波数（例えば、６０Ｈｚ）で駆動される。
【０００４】
上述した固体光源をＰＷＭ制御することによって生ずるフリッカー、及び、光変調装置を駆動することによって生ずるフリッカーは、何れもユーザが視認することができない高周波数成分が主体である。しかしながら、両フリッカーが干渉することによって低周波数成分が発生し、ユーザに視認され得るフリッカーやスクロールノイズが生ずることがある。ここで、スクロールノイズとは、画面の横方向に延びる帯状の明るい部分と暗い部分とが画面の上方向又は下方向にゆっくりと移動する現象である。以下の特許文献１には、固体光源の明滅周期を変化させることによってスクロールノイズの発生を防止する技術が開示されている。
【先行技術文献】
【特許文献】
【０００５】
【特許文献１】特開２００９−１７５６２７号公報
【発明の概要】
【発明が解決しようとする課題】
【０００６】
ところで、上述した特許文献１に開示された技術は、固体光源の明滅周期を変化させて両フリッカー（固体光源をＰＷＭ制御することによって生ずるフリッカーと光変調装置を駆動することによって生ずるフリッカー）の干渉成分の規則性を無くすことにより、スクロールノイズの発生を防止するものである。このため、特許文献１において設定される固体光源の明滅周期（ＰＷＭ制御の制御周波数）は、光変調装置を駆動することによって生ずるフリッカーの状態に密接に関連する。
【０００７】
従って、ある光変調装置に対してスクロールノイズの発生を防止し得る固体光源の明滅周期を設定しても、光変調装置が変わればスクロールノイズの発生を防止することができない状況が生じ得る。このため、上述した特許文献１に開示された技術では、特性が異なる光変調装置が用いられる場合には固体光源の明滅周期を再設定する必要があり、面倒な作業が強いられるという問題があった。
【０００８】
本発明は上記事情に鑑みてなされたものであり、光変調装置の特性に影響されずにスクロールノイズの発生を防止することができる光源制御装置及び方法、並びに当該装置を備えるプロジェクターを提供することを目的とする。
【課題を解決するための手段】
【０００９】
第１発明の光源制御装置は、複数の固体光源を有する光源装置を制御する光源制御装置であって、前記光源装置から射出されるべき光の光量である目標光量を示す信号に基づいて、前記光源装置の制御周期内における前記固体光源の発光時間と消灯時間との比であるデューティー比を決定する決定部と、前記決定部で決定されたデューティー比を有し、前記複数の固体光源のうちの少なくとも１つの固体光源を駆動する位相を、他の固体光源を駆動する位相と異ならせる制御信号を生成して前記複数の固体光源の駆動制御を行う駆動制御部とを備えることを特徴としている。
この発明によると、目標光量を示す信号に基づいて決定されたデューティー比を有し、複数の固体光源のうちの少なくとも１つの固体光源を駆動する位相を、他の固体光源を駆動する位相と異ならせる制御信号を生成して複数の固体光源の駆動制御を行っており、光源装置をパルス幅変調制御する際に生ずるフリッカーを低減又は消失させることができるため、光源装置から射出された光を変調する光変調装置の特性に影響されずにスクロールノイズの発生を防止することができる。
また、第１発明の光源制御装置は、前記目標光量及び前記決定部で決定されるデューティー比に応じて、前記固体光源に供給する電流を制御する電流制御部を備えることを特徴としている。
また、第１発明の光源制御装置は、前記決定部が、前記光源装置から射出される光の光量と前記デューティー比との関係を示すテーブルを有しており、該テーブルを用いて前記目標光量に応じたデューティー比を決定することを特徴としている。
また、第１発明の光源制御装置は、前記電流制御部が、前記光源装置から射出される光の光量、前記デューティー比、及び前記固体光源に供給される電流の関係を示すテーブルを有しており、該テーブルを用いて前記目標光量及び前記デューティー比に応じた電流を前記固体光源に供給することを特徴としている。
また、第１発明の光源制御装置は、前記複数の固体光源が、発光及び消灯を個別に制御可能なｎ個（ｎは２以上の整数）のブロックに区分されており、前記決定部が、前記目標光量をｍ％（ｍは０≦ｍ≦１００を満たす数）とし、ｍ／（１００／ｎ）なる式で得られる値の小数点以下を切り上げた値をａとすると、前記デューティー比Ｄ％をａ×（１００／ｎ）なる式で得られる値に決定し、前記駆動制御部が、位相が互いに３６０／ｎ度だけずれたｎ個の制御信号を生成し、前記電流制御部が、前記固体光源に供給する電流を、前記目標光量が１００％である場合に前記固体光源に供給される電流の（ｍ／Ｄ）×１００％に制御することを特徴としている。
また、第２発明の光源制御装置は、印加電圧の極性を反転させながら複数の光源を有する光源装置を駆動制御する光源制御装置であって、前記複数の光源のうちの少なくとも１つの光源を駆動する位相を、他の光源を駆動する位相と異ならせる制御信号を生成して前記複数の光源の駆動制御を行う駆動制御部を備えることを特徴としている。
この発明によると、複数の光源のうちの少なくとも１つの光源を駆動する位相を、他の光源を駆動する位相と異ならせて極性反転を行っており、光源装置を駆動制御する際に生ずるフリッカーを低減させることができるため、光源装置から射出された光を変調する光変調装置の特性に影響されずにスクロールノイズの発生を防止することができる。
第１発明の光源制御方法は、複数の固体光源を有する光源装置を制御する光源制御方法であって、前記光源装置から射出されるべき光の光量である目標光量を示す信号に基づいて、前記光源装置の制御周期内における前記固体光源の発光時間と消灯時間との比であるデューティー比を決定し、決定されたデューティー比を有し、前記複数の固体光源のうちの少なくとも１つの固体光源を駆動する位相を、他の固体光源を駆動する位相と異ならせる制御信号を生成して前記複数の固体光源の駆動制御を行うことを特徴としている。
第２発明の光源制御方法は、印加電圧の極性を反転させながら複数の光源を有する光源装置を駆動制御する光源制御方法であって、前記複数の光源のうちの少なくとも１つの光源を駆動する位相を、他の光源を駆動する位相と異ならせる制御信号を生成して前記複数の光源の駆動制御を行うことを特徴としている。
本発明のプロジェクターは、光源装置と、表示すべき画像の画像信号に基づいて該光源装置からの光を変調する光変調装置と、該光変調装置で変調された光をスクリーンに投射する投射光学系とを備えるプロジェクターにおいて、前記光源装置を制御する上記の何れかに記載の光源制御装置を備えることを特徴としている。
この発明によると、光源装置を駆動制御する際に生ずるフリッカーを低減又は消失させることができる光源制御装置を備えているため、光源装置から射出された光を変調する光変調装置の特性に影響されずにスクロールノイズの発生を防止することができる。
また、本発明のプロジェクターは、前記画像信号から前記目標光量を示す信号を求める目標光量算出部を備えることを特徴としている。
また、本発明のプロジェクターは、前記目標光量算出部で求められた前記目標光量に応じて、前記光変調装置の変調に用いられる画像信号の伸張処理を行う伸張処理部を備えることを特徴としている。
【図面の簡単な説明】
【００１０】
【図１】本発明の第１実施形態による光源制御装置の要部構成を示すブロック図である。
【図２】本発明の第１実施形態における駆動信号と光出力との関係を示す図である。
【図３】本発明の第２実施形態による光源制御装置の要部構成を示すブロック図である。
【図４】本発明の第２実施形態における駆動信号と光出力との関係を示す図である。
【図５】本発明の第３実施形態による光源制御装置の要部構成を示すブロック図である。
【図６】本発明の第３実施形態における駆動信号と光出力との関係を示す図である。
【図７】本発明の一実施形態によるプロジェクターの構成を示す図である。
【発明を実施するための形態】
【００１１】
以下、図面を参照して本発明の実施形態による光源制御装置及び方法並びにプロジェクターについて詳細に説明する。尚、以下に説明する実施形態は、本発明の一部の態様を示すものであり、本発明を限定するものではなく、本発明の技術的思想の範囲内で任意に変更可能である。
【００１２】
《光源制御装置》
〔第１実施形態〕
図１は、本発明の第１実施形態による光源制御装置の要部構成を示すブロック図である。図１に示す通り、本実施形態の光源制御装置１は、デューティー比決定部２（決定部）、ＰＷＭ信号生成部３（駆動制御部）、及び光源駆動部４ａ〜４ｄ（駆動制御部）を備えており、外部から入力される目標光量信号Ｓ１に基づいて固体光源アレイ１１（光源装置）を駆動制御する。ここで、上記の目標光量信号Ｓ１は、固体光源アレイ１１から射出されるべき光の光量である目標光量を示す信号である。尚、目標光量信号Ｓ１は、固体光源アレイ１１から射出されるべき光の明るさを示す信号であっても良い。
【００１３】
固体光源アレイ１１は、図１に示す通り、略矩形形状の基板ＳＢ上に面状（マトリクス状）に配列された複数の固体光源１１ａを備えており、光源制御装置１によって駆動制御されることにより例えば青色光を射出する。基板ＳＢは、固体光源１１ａが搭載される略矩形形状の板状部材であり、固体光源１１ａは、例えば発光強度のピークが約４６０ｎｍである青色光を射出する半導体レーザーである。
【００１４】
図１に示す例では、２４個の固体光源１１ａが基板ＳＢ上に６行４列のマトリクス状に配列されており、同じ列に配置された固体光源１１ａが直列接続されている。つまり、符号Ｃ１が付された列に配置された６個の固体光源１１ａが直列接続され、符号Ｃ２が付された列に配置された６個の固体光源１１ａが直列接続されている。符号Ｃ３，Ｃ４が付された列に配列された固体光源１１ａについても同様である。
【００１５】
このように、固体光源アレイ１１に設けられた複数の固体光源１１ａは、列Ｃ１〜Ｃ４毎に設けられた６個を単位として４つのブロックに区分されており、このブロックを単位として（つまり、列Ｃ１〜Ｃ４毎に）発光及び消灯が制御可能である。尚、固体光源アレイ１１に設けられる固体光源１１ａの数は、必要となる光量に応じて適宜増減することが可能である。
【００１６】
光源制御装置１に設けられるデューティー比決定部２は、目標光量信号Ｓ１に基づいて固体光源アレイ１１の制御周期内における固体光源１１ａの発光時間と消灯時間との比であるデューティー比を決定する。具体的に、デューティー比決定部２は、固体光源アレイ１１から射出される光の光量とデューティー比との関係を示すテーブルＴ１（第１テーブル）を有しており、このテーブルＴ１を用いて目標光量信号Ｓ１に応じたデューティー比を決定する。このデューティー比決定部２で決定されるデューティー比は、概して目標光量信号Ｓ１で示される目標光量が高くなるにつれて高くなる。尚、上記の制御周期とは、光源制御装置１による固体光源アレイ１１のＰＷＭ制御周期であって、ＰＷＭ制御周波数（数百Ｈｚ程度）の逆数である。
【００１７】
ＰＷＭ信号生成部３は、デューティー比決定部２で決定されたデューティー比に基づいて、固体光源アレイ１１に設けられた複数の固体光源１１ａを駆動するＰＷＭ信号を生成する。具体的には、周波数が上記のＰＷＭ制御周波数であり、デューティー比決定部２で決定されたデューティー比を有し、固体光源アレイ１１に設けられた固体光源１１ａを駆動する位相を列Ｃ１〜Ｃ４毎に９０度ずつ異ならせるＰＷＭ信号Ｓ１１〜Ｓ１４（制御信号）を生成する。
【００１８】
ここで、ＰＷＭ信号生成部３で生成されるＰＷＭ信号Ｓ１１〜Ｓ１４の周波数を規定する上記のＰＷＭ制御周波数は、ユーザにちらつき（フリッカー）が視認されることがないよう数百Ｈｚ程度に設定される。また、固体光源アレイ１１に設けられた複数の固体光源１１ａは、４つの列（列Ｃ１〜Ｃ４）を単位として発光及び消灯が制御可能であるため、ＰＷＭ信号Ｓ１１〜Ｓ１４の間の位相は９０度（３６０度／４）ずつ異なるよう設定される。
【００１９】
光源駆動部４ａ〜４ｄは、ＰＷＭ信号生成部３で生成されるＰＷＭ信号Ｓ１１〜Ｓ１４に基づいて、固体光源アレイ１１に設けられた複数の固体光源１１ａを列Ｃ１〜Ｃ４毎に駆動する駆動信号Ｄ１〜Ｄ４をそれぞれ生成する。尚、駆動信号Ｄ１〜Ｄ４は、ＰＷＭ信号Ｓ１１〜Ｓ１４に基づいて周波数、デューティー比、及び位相が規定され、ＰＷＭ信号Ｓ１１〜Ｓ１４の信号レベルが「Ｈ（ハイ）」レベルのときの電流が一定（本実施形態ではＩ１とする）であるパルス状の信号である。
【００２０】
次に、上記構成における光源制御装置１の動作について説明する。外部からの目標光量信号Ｓ１が光源制御装置１に入力されると、デューティー比決定部２に入力されて固体光源アレイ１１のＰＷＭ制御周期内における固体光源１１ａの発光時間と消灯時間との比であるデューティー比がテーブルＴ１を用いて決定される。尚、ここでは、目標光量信号Ｓ１で示される目標光量が固体光源アレイ１１から射出され得る最大光量の８０％の光量であり、上記のテーブルＴ１を用いてデューティー比が８０％に決定されるものとする。
【００２１】
デューティー比決定部２で決定されたデューティー比はＰＷＭ信号生成部３に出力され、このデューティー比に基づいて固体光源アレイ１１に設けられた複数の固体光源１１ａを駆動するＰＷＭ信号Ｓ１１〜Ｓ１４が生成される。具体的には、周波数が上記のＰＷＭ制御周波数であり、デューティー比決定部２で決定されたデューティー比を有し、互いに位相が９０度ずつ異なるＰＷＭ信号Ｓ１１〜Ｓ１４が生成される。
【００２２】
ＰＷＭ信号生成部３で生成されたＰＷＭ信号Ｓ１１〜Ｓ１４は、光源駆動部４ａ〜４ｄにそれぞれ出力され、固体光源アレイ１１に設けられた複数の固体光源１１ａを列Ｃ１〜Ｃ４毎に駆動する駆動信号Ｄ１〜Ｄ４がそれぞれ生成される。これらの駆動信号Ｄ１〜Ｄ４は固体光源アレイ１１に供給され、固体光源アレイ１１に設けられた複数の固体光源１１ａの発光及び消灯が列Ｃ１〜Ｃ４を単位として行われる。
【００２３】
図２は、本発明の第１実施形態における駆動信号と光出力との関係を示す図である。図２に示す通り、光源駆動部４ａ〜４ｄから固体光源アレイ１１に供給される駆動信号Ｄ１〜Ｄ４は、前述したＰＷＭ制御周期と同じ周期Ｔｗを有し、デューティー比が８０％であって、０［Ａ］とＩ１［Ａ］との二値の電流値をとり、互いに位相が９０度ずつ異なる信号である。
【００２４】
ここで、仮に駆動信号Ｄ２〜Ｄ４の位相が駆動信号Ｄ１の位相と一致しているとすると、固体光源アレイ１１からは、図２中の曲線Ｌ１２の通りに光量が変化する光が射出される。つまり、最大光量がＬであって、光量の時間変化が駆動信号Ｄ１の時間変化と同様である光が固体光源アレイ１１から射出される。このような光が固体光源アレイ１１から射出されている場合のフリッカーは、駆動信号Ｄ１の周波数と同じ周波数であるＰＷＭ制御周波数の周波数成分が主体になる。
【００２５】
これに対し、図２に示す通り、位相が互いに９０度ずつ異なる駆動信号Ｄ１〜Ｄ４が固体光源アレイ１１に供給される場合には、固体光源アレイ１１からは、図２中の曲線Ｌ１１の通りに光量が変化する光が射出される。つまり、駆動信号Ｄ１〜Ｄ４の周期Ｔｗの４分の１の周期（Ｔｗ／４）で光量が（３Ｌ／４）とＬとの間で（Ｌ／４）だけ変化する光が射出される。このような光が固体光源アレイ１１から射出されている場合のフリッカーは、駆動信号Ｄ１の４倍の周波数（ＰＷＭ制御周波数の４倍の周波数）の周波数成分が主体になる。
【００２６】
このように、位相が互いに９０度ずつ異なる駆動信号Ｄ１〜Ｄ４によって固体光源アレイ１１を駆動すると、同一位相の駆動信号によって固体光源アレイ１１を駆動した場合に比べ、射出される光の光量変化を４分の１に低減することができるとともに、フリッカーの周波数成分を４倍に上昇させることができる。このため、固体光源アレイ１１から射出された光をライトバルブ等の光変調装置で変調する場合であっても、光変調装置の特性にさほど影響されることなくフリッカーやスクロールノイズの発生を低減することができる。
【００２７】
以上の説明は、デューティー比決定部２で決定されるデューティー比が８０％である場合の説明であったが、デューティー比決定部２で決定されるデューティー比が７５％，５０％，２５％である場合にはフリッカーを完全に消失させることができる。すると、固体光源アレイ１１から射出された光をライトバルブ等の光変調装置で変調しても、光変調装置のフリッカーと固体光源アレイ１１のフリッカーとの干渉が生じないため、フリッカーやスクロールノイズの発生を防止することができる。
【００２８】
〔第２実施形態〕
図３は、本発明の第２実施形態による光源制御装置の要部構成を示すブロック図である。図３に示す通り、本実施形態の光源制御装置１′は、図１に示す光源制御装置１に駆動電流制御部６（電流制御部）を追加し、デューティー比決定部２をデューティー比選択部５（決定部）に代えるとともに、光源駆動部４ａ〜４ｄを光源駆動部７ａ〜７ｄ（駆動制御部）に代えた構成である。かかる構成の光源制御装置１′は、デューティー比選択部５で選択されるデューティー比に応じて、固体光源アレイ１１に供給する駆動信号Ｄ１〜Ｄ４の電流値を変更することが可能である。
【００２９】
デューティー比選択部５は、目標光量信号Ｓ１で示される目標光量に応じてデューティー比を０％，２５％，５０％，７５％，１００％から選択する。例えば、目標光量信号Ｓ１で示される目標光量が予め設定された最大光量の６０％である場合には、７５％のデューティー比を選択する。つまり、図１に示すデューティー比決定部２は、テーブルＴ１を用いて目標光量信号Ｓ１に応じたデューティー比を細かに決定するものであったが、本実施形態のデューティー比選択部５は、目標光量信号Ｓ１で示される目標光量に応じて上記のデューティー比の１つを選択することにより、デューティー比を大まかに決定するものである。
【００３０】
駆動電流制御部６は、目標光量信号Ｓ１及びデューティー比選択部５で選択されるデューティー比に基づいて、固体光源アレイ１１に供給する駆動信号Ｄ１〜Ｄ４の電流を制御する制御信号Ｓ２１〜Ｓ２４を出力する。具体的に、駆動電流制御部６は、固体光源アレイ１１から射出される光の光量、デューティー比、及び固体光源アレイ１１に供給される電流の関係を示すテーブルＴ２（第２テーブル）を有しており、このテーブルＴ２を用いて駆動信号Ｄ１〜Ｄ４の電流を目標光量信号Ｓ１及びデューティー比に応じた電流に制御する制御信号Ｓ２１〜Ｓ２４を出力する。
【００３１】
駆動電流制御部６で生成される制御信号Ｓ２１〜Ｓ２４は、概して目標光量信号Ｓ１で示される目標光量が高くなるにつれて、或いは、デューティー比が低くなるにつれて駆動信号Ｄ１〜Ｄ４の電流値を大きくするものである。例えば、目標光量信号Ｓ１で示される目標光量が予め設定された最大光量の６０％であり、デューティー比選択部５で選択されたデューティー比が７５％である場合には、駆動信号Ｄ１〜Ｄ４の電流値を固体光源アレイ１１から最大光量の光が射出されるときに供給される電流値の８０％に制御する制御信号Ｓ２１〜Ｓ２４を出力する。
【００３２】
光源駆動部７ａ〜７ｄは、ＰＷＭ信号生成部３で生成されるＰＷＭ信号Ｓ１１〜Ｓ１４及び駆動電流制御部６で生成される制御信号Ｓ２１〜Ｓ２４に基づいて、固体光源アレイ１１に設けられた複数の固体光源１１ａを列Ｃ１〜Ｃ４毎に駆動する駆動信号Ｄ１〜Ｄ４をそれぞれ生成する。尚、駆動信号Ｄ１〜Ｄ４は、ＰＷＭ信号Ｓ１１〜Ｓ１４に基づいて周波数、デューティー比、及び位相が規定され、制御信号Ｓ２１〜Ｓ２４に基づいてＰＷＭ信号Ｓ１１〜Ｓ１４の信号レベルが「Ｈ」レベルのときの電流値が規定されたパルス状の信号である。
【００３３】
次に、上記構成における光源制御装置１′の動作について説明する。外部からの目標光量信号Ｓ１が光源制御装置１に入力されると、デューティー比選択部５に入力されて目標光量信号Ｓ１で示される目標光量に応じたデューティー比が選択される。尚、ここでは、目標光量信号Ｓ１で示される目標光量が固体光源アレイ１１から射出され得る最大光量の６０％の光量であり、７５％のデューティー比が選択されるものとする。
【００３４】
デューティー比選択部５で選択されたデューティー比はＰＷＭ信号生成部３に出力され、このデューティー比に基づいて固体光源アレイ１１に設けられた複数の固体光源１１ａを駆動するＰＷＭ信号Ｓ１１〜Ｓ１４が生成される。具体的には、周波数が上記のＰＷＭ制御周波数であり、デューティー比選択部５で選択されたデューティー比を有し、互いに位相が９０度ずつ異なるＰＷＭ信号Ｓ１１〜Ｓ１４が生成される。
【００３５】
これと並行して、目標光量信号Ｓ１及びデューティー比選択部５で選択されたデューティー比が駆動電流制御部６に入力され、固体光源アレイ１１に供給される駆動信号Ｄ１〜Ｄ４の電流値を制御する制御信号Ｓ２１〜Ｓ２４が生成されて出力される。尚、ここでは、駆動信号Ｄ１〜Ｄ４の電流値を固体光源アレイ１１から最大光量の光が射出されるときに供給される電流値の８０％に制御する制御信号Ｓ２１〜Ｓ２４が出力されるとする。
【００３６】
ＰＷＭ信号生成部３で生成されたＰＷＭ信号Ｓ１１〜Ｓ１４及び駆動電流制御部６で生成された制御信号Ｓ２１〜Ｓ２４は光源駆動部７ａ〜７ｄにそれぞれ出力され、固体光源アレイ１１に設けられた複数の固体光源１１ａを列Ｃ１〜Ｃ４毎に駆動する駆動信号Ｄ１〜Ｄ４がそれぞれ生成される。これらの駆動信号Ｄ１〜Ｄ４は固体光源アレイ１１に供給され、固体光源アレイ１１に設けられた複数の固体光源１１ａの発光及び消灯が列Ｃ１〜Ｃ４を単位として行われる。
【００３７】
図４は、本発明の第２実施形態における駆動信号と光出力との関係を示す図である。図４に示す通り、光源駆動部７ａ〜７ｄから固体光源アレイ１１に供給される駆動信号Ｄ１〜Ｄ４は、前述したＰＷＭ制御周期と同じ周期Ｔｗを有し、デューティー比が７５％であって、互いに位相が９０度ずつ異なる信号である。但し、その電流値は、駆動電流制御部６からの制御信号Ｓ２１〜Ｓ２４によって、最大値がＩ１［Ａ］の８０％となるように制御されている。
【００３８】
ここで、仮に駆動信号Ｄ２〜Ｄ４の位相が駆動信号Ｄ１の位相と一致しており、駆動信号Ｄ１〜Ｄ４の電流値の最大値がＩ１［Ａ］であるとすると、固体光源アレイ１１からは、図４中の曲線Ｌ２２の通りに光量が変化する光が射出される。つまり、最大光量がＬであって、光量の時間変化が駆動信号Ｄ１の時間変化と同様である光が固体光源アレイ１１から射出される。このような光が固体光源アレイ１１から射出されている場合のフリッカーは、駆動信号Ｄ１の周波数と同じ周波数であるＰＷＭ制御周波数の周波数成分が主体になる。
【００３９】
これに対し、図４に示す通り、位相が互いに９０度ずつ異なり、最大値がＩ１［Ａ］の８０％となるように制御されている駆動信号Ｄ１〜Ｄ４が固体光源アレイ１１に供給される場合には、固体光源アレイ１１からは、図４中の曲線Ｌ２１の通り、一定の光量を有する光が射出される。具体的には、最大光量Ｌの６０％の光量を有し、時間的な光量の変動が生じない光が射出される。
【００４０】
このように、本実施形態においても、デューティー比が７５％に設定されており、位相が互いに９０度ずつ異なる駆動信号Ｄ１〜Ｄ４によって固体光源アレイ１１を駆動することによりフリッカーを完全に消失させることができる。すると、固体光源アレイ１１から射出された光をライトバルブ等の光変調装置で変調しても、光変調装置のフリッカーと固体光源アレイ１１のフリッカーとの干渉が生じないため、フリッカーやスクロールノイズの発生を防止することができる。
【００４１】
以上の第１，第２実施形態では、固体光源アレイ１１の固体光源１１ａが４つの列Ｃ１〜Ｃ４に区分されており、テーブルＴ１を用いて或いは選択によってデューティー比を決定し、更にはテーブルＴ２を用いて電流制御を行う例について説明した。しかしながら、固体光源アレイ１１に設けられた固体光源１１ａの特性（電流と光量との特性、デューティー比と光量との特性）が線形的である場合には、デューティー比の決定及び電流制御はテーブルＴ１，Ｔ２を用いることなく演算等により行っても良い。
【００４２】
具体的には、固体光源アレイ１１に設けられている固体光源１１ａがｎ個（ｎは２以上の整数）のブロックに区分されており、目標光量信号Ｓ１で示される目標光量が予め設定された最大光量のｍ％（ｍは０≦ｍ≦１００を満たす数）であるとすると、以下の式に基づいてデューティー比Ｄ％を決定することができる。
Ｄ＝ａ×（１００／ｎ）
但し、上記式中の変数ａは、ｍ／（１００／ｎ）なる式で得られる値の小数点以下を切り上げた値を示す変数である。
【００４３】
このとき、ＰＷＭ信号生成部３によって生成される制御信号は、ＰＷＭ制御周期と同じ周期Ｔｗを有し、位相が互いに３６０／ｎ度だけずれたｎ個の制御信号である。また、第２実施形態においては、駆動電流制御部６によって、固体光源アレイ１１に供給される駆動信号Ｄ１〜Ｄ４の電流の最大値が、Ｉ１［Ａ］（目標光量が１００％である場合に固体光源アレイ１１に供給される電流）の（ｍ／Ｄ）×１００％となるように制御される。
【００４４】
〔第３実施形態〕
図５は、本発明の第３実施形態による光源制御装置の要部構成を示すブロック図である。図５に示す通り、本実施形態の光源制御装置１″は、極性反転信号生成部８（駆動制御部）及びランプ駆動部９ａ，９ｂを備えており、印加電圧の極性を反転させながら複数のランプＵ１，Ｕ２を有するランプユニットＵ（光源装置）を駆動制御する。
【００４５】
前述した第１，第２実施形態の光源制御装置１，１′は、点灯及び消灯を瞬時に行うことが可能な固体光源１１ａを制御するものであった。これに対し、本実施形態の光源制御装置１″は、一旦消灯させると再点灯に数分程度の時間を要するランプＵ１，Ｕ２を制御するものである。ランプユニットＵに設けられたランプＵ１，Ｕ２は、例えば超高圧水銀ランプなどの放電ランプである。
【００４６】
光源制御装置１″に設けられる極性反転信号生成部８は、ランプユニットＵに供給される駆動信号Ｄ１１，Ｄ１２の極性を反転させる極性反転信号Ｓ３１，Ｓ３２（制御信号）を生成する。具体的には、周波数がランプＵ１，Ｕ２の極性を反転させる制御周波数に規定され、位相が９０度だけ異なっている極性反転信号Ｓ３１，Ｓ３２を生成する。ここで、極性反転信号Ｓ３１，Ｓ３２の位相を９０度だけ異ならせるのは、ランプユニットＵから射出される光のフリッカーの周波数成分を高めるためである。
【００４７】
ランプ駆動部９ａ，９ｂは、極性反転信号生成部８で生成される極性反転信号Ｓ３１，Ｓ３２に基づいて、ランプＵ１，Ｕ２を駆動する駆動信号Ｄ１１，Ｄ１２をそれぞれ生成する。ここで、ランプ駆動部９ａ，９ｂは、極性反転が行われるタイミングまでにある程度電圧を上昇させた駆動信号Ｄ１１，Ｄ１２を生成する。これは、ランプＵ１，Ｕ２の極性を反転させるためには、極性反転に先立ってある程度電圧を上昇させる必要があるためである。尚、電圧の上昇のさせ方は任意である。例えば、極性反転が行われる直前のタイミングでパルス状に電圧を上昇させても良く、三角波状に電圧を上昇させても良い。
【００４８】
図６は、本発明の第３実施形態における駆動信号と光出力との関係を示す図である。図６に示す通り、ランプ駆動部９ａ〜９ｄからランプユニットＵに供給される駆動信号Ｄ１１，Ｄ１２は、ランプＵ１，Ｕ２の極性を反転させる制御周波数と同じ周波数を有し、位相が９０度だけ異なる信号である。尚、図６に示す駆動信号Ｄ１１，Ｄ１２は何れも、極性が反転した時点から次に極性が反転する時点まで電圧が曲線状に徐々に上昇する信号である。
【００４９】
図６を参照すると、ランプユニットＵから射出される光の光量は、駆動信号Ｄ１１，Ｄ１２の極性が反転するタイミングで不連続に変化していることが分かる。尚、図６では明示していないが、光量の変化量は、駆動信号Ｄ１１，Ｄ１２の位相を同じにした場合の変化量よりも小さくなる。また、ランプユニットＵから射出される光の光量が変化する周期（周波数）は、駆動信号Ｄ１１，Ｄ１２の周期（周波数）の半分（２倍）であることが分かる。
【００５０】
このように、本実施形態においても、第１実施形態と同様に、極性反転時における光量の変化量を小さくすることができるとともに、光量が変化する周波数を２倍にすることができる。このため、ランプユニットＵから射出された光をライトバルブ等の光変調装置で変調する場合であっても、光変調装置の特性にさほど影響されることなくフリッカーやスクロールノイズの発生を低減することができる。
【００５１】
《プロジェクター》
次に、本発明の一実施形態によるプロジェクターについて説明する。尚、以下では、図１を用いて説明した光源制御装置１を備えるプロジェクターを例に挙げて説明する。図７は、本発明の一実施形態によるプロジェクターの構成を示す図である。図７に示す通り、プロジェクターＰＪは、照明装置１０、色分離導光光学系２０、液晶光変調装置３０Ｒ，３０Ｇ，３０Ｂ（光変調装置）、クロスダイクロイックプリズム４０、投射光学系５０、及び信号処理部６０を備えており、外部から入力される画像信号Ｖ１に応じた画像光をスクリーンＳＣＲに向けて投射することによりスクリーンＳＣＲ上に画像を表示する。
【００５２】
照明装置１０は、図１に示す光源制御装置１及び固体光源アレイ１１と、コリメーターレンズアレイ１２、集光光学系１３、蛍光生成部１４、コリメーター光学系１５、第１レンズアレイ１６、第２レンズアレイ１７、偏光変換素子１８、及び重畳レンズ１９とを備えており、赤色光、緑色光、及び青色光を含む白色光を射出する。コリメーターレンズアレイ１２は、固体光源アレイ１１に設けられた複数の固体光源１１ａの各々に対応する複数のコリメーターレンズを備えており、固体光源１１ａの各々から射出される青色光を略平行化する。
【００５３】
具体的に、コリメーターレンズアレイ１２は、２４個の平凸レンズであるコリメーターレンズを、６行４列のマトリクス状に配列してなるものである。このコリメーターレンズアレイ１２は、コリメーターレンズの凸面を固体光源アレイ１１に向け、且つ、各コリメーターレンズを各固体光源１１ａにそれぞれ対応させた状態で配置されている。集光光学系１３は、第１レンズ１３ａ及び第２レンズ１３ｂを備えており、コリメーターレンズアレイ１２で略平行化された青色光を蛍光生成部１４の近傍の位置に集光する。
【００５４】
蛍光生成部１４は、集光光学系１３の集光位置の近傍に配設され、集光光学系１３で集光された青色光のうちの一部から赤色光及び緑色光を含む蛍光を生成する蛍光層（図示省略）と、この蛍光層を担持する透明部材（図示省略）とを有する。具体的に、蛍光生成部１４は、集光光学系１３で集光された青色光がデフォーカス状態で蛍光層に入射する位置に配設される。蛍光生成部１４は、蛍光の生成に関わることなく蛍光層を通過する青色光を蛍光とともに含み、全体として白色光となる光を射出する。
【００５５】
上記の蛍光層は、例えば、ＹＡＧ系蛍光体である（Ｙ，Ｇｄ）３（Ａｌ，Ｇａ）５Ｏ１２：Ｃｅを含有する層からなる。蛍光層は、集光光学系１３で集光された青色光のうちの一部を、赤色光（発光強度のピーク：約６１０ｎｍ）及び緑色光（発光強度のピーク：約５５０ｎｍ）を含む蛍光に変換して射出する。尚、青色光のうち、蛍光の生成に関わることなく蛍光層を通過する一部の青色光は、蛍光とともに射出される。コリメーター光学系１５は、第１レンズ１５ａ及び第２レンズ１５ｂを備えており、蛍光生成部１４からの光を略平行化する。
【００５６】
第１レンズアレイ１６は、複数の小レンズ１６ａを有しており、固体光源アレ１１からの光を複数の部分光束に分割する。具体的に、第１レンズアレイ１６が有する複数の小レンズ１６ａは、照明光軸ＡＸと直交する面内において、複数行及び複数列に亘ってマトリクス状に配列されている。尚、第１レンズアレイ１６が有する複数の小レンズ１６ａの外形形状は、液晶光変調装置３０Ｒ，３０Ｇ，３０Ｂの画像形成領域の外形形状に関して略相似形である。
【００５７】
第２レンズアレイ１７は、第１レンズアレイ１６に設けられた複数の小レンズ１６ａに対応する複数の小レンズ１７ａを有する。つまり、第２レンズアレイ１７が有する複数の小レンズ１７ａは、第１レンズアレイ１６が有する複数の小レンズ１６ａと同様に、照明光軸ＡＸと直交する面内において、複数行及び複数列に亘ってマトリクス状に配列されている。この第２レンズアレイ１７は、重畳レンズ１９とともに、第１レンズアレイ１６が有する各小レンズ１６ａの像を液晶光変調装置３０Ｒ，３０Ｇ，３０Ｂの画像形成領域近傍に結像させる。
【００５８】
偏光変換素子１８は、偏光分離層、反射層、及び位相差板（何れも図示省略）を有しており、第１レンズアレイ１６により分割された各部分光束の偏光方向を、偏光方向の揃った略１種類の直線偏光光として射出する。ここで、偏光分離層は、固体光源アレイ１１からの光に含まれる偏光成分のうちの一方の直線偏光成分をそのまま透過させ、他方の直線偏光成分を照明光軸ＡＸに垂直な方向に反射する。また、反射層は、偏光分離層で反射された他方の直線偏光成分を照明光軸ＡＸに平行な方向に反射する。更に位相差板は、反射層で反射された他方の直線偏光成分を一方の直線偏光成分に変換する。
【００５９】
重畳レンズ１９は、その光軸が照明装置１０の光軸と一致するように配置されており、偏光変換素子１８からの各部分光束を集光して液晶光変調装置３０Ｒ，３０Ｇ，３０Ｂの画像形成領域近傍に重畳させる。上述した第１レンズアレイ１６、第２レンズアレイ１７、及び重畳レンズ１９は、固体光源アレイ１１からの光を均一化するレンズインテグレーター光学系を構成している。
【００６０】
色分離導光光学系２０は、ダイクロイックミラー２１，２２、反射ミラー２３〜２５、リレーレンズ２６，２７、及び集光レンズ２８Ｒ，２８Ｇ，２８Ｂを備えており、照明装置１０からの光を赤色光、緑色光、及び青色光に分離して液晶光変調装置３０Ｒ，３０Ｇ，３０Ｂにそれぞれ導光する。ダイクロイックミラー２１，２２は、所定の波長領域の光を反射して他の波長領域の光を通過させる波長選択透過膜が透明基板上に形成されたミラーである。具体的に、ダイクロイックミラー２１は赤色光成分を反射して緑色光及び青色光成分を通過させ、ダイクロイックミラー２２は緑色光成分を反射して青色光成分を通過させる。
【００６１】
反射ミラー２３は赤色光成分を反射するミラーであり、反射ミラー２４，２５は青色光成分を反射するミラーである。リレーレンズ２６はダイクロイックミラー２２と反射ミラー２４との間に配設され、リレーレンズ２７は、反射ミラー２４と反射ミラー２５との間に配設される。これらリレーレンズ２６，２７は、青色光の光路の長さが他の色光の光路の長さよりも長いため、光の発散等による光の利用効率の低下を防止するために設けられる。集光レンズ２８Ｒ，２８Ｇ，２８Ｂは、反射ミラー２３で反射された赤色光成分、ダイクロイックミラー２２で反射された緑色光成分、及び反射ミラー２５で反射された青色光成分を、液晶光変調装置３０Ｒ，３０Ｇ，３０Ｂの画像形成領域にそれぞれ集光する。
【００６２】
ダイクロイックミラー２１で反射された赤色光は、反射ミラー２３で反射され、集光レンズ２８Ｒを介して赤色光用の液晶光変調装置３０Ｒの画像形成領域に入射する。ダイクロイックミラー２１を通過した緑色光は、ダイクロイックミラー２２で反射され、集光レンズ２８Ｇを介して緑色光用の液晶光変調装置３０Ｇの画像形成領域に入射する。ダイクロイックミラー２１，２２を通過した青色光は、リレーレンズ２６、反射ミラー２４、リレーレンズ２７、反射ミラー２５、及び集光レンズ２８Ｂを順に介して青色光用の液晶光変調装置３０Ｂの画像形成領域に入射する。
【００６３】
液晶光変調装置３０Ｒ，３０Ｇ，３０Ｂは、入射された色光を信号処理部６０から出力される画像信号に応じて変調して、赤色の画像光、緑色の画像光、及び青色の画像光をそれぞれ生成する。尚、図７では図示を省略しているが、集光レンズ２８Ｒ，２８Ｇ，２８Ｂと液晶光変調装置３０Ｒ，３０Ｇ，３０Ｂとの間にはそれぞれ入射側偏光板が介在配置されており、液晶光変調装置３０Ｒ，３０Ｇ，３０Ｂとクロスダイクロイックプリズム４０との間にはそれぞれ射出側偏光板が介在配置されている。
【００６４】
液晶光変調装置３０Ｒ，３０Ｇ，３０Ｂは、一対の透明なガラス基板の間に電気光学物質である液晶を密閉封入した透過型の液晶光変調装置であり、例えば、ポリシリコンＴＦＴ（Thin Film Transistor：薄膜トランジスター）をスイッチング素子として備える。上述した不図示の入射側偏光板の各々を介した色光（直線偏光）の偏光方向が、液晶光変調装置３０Ｒ，３０Ｇ，３０Ｂの各々に設けられたスイッチング素子のスイッチング動作によって変調されることにより、画像信号に応じた赤色の画像光、緑色の画像光、及び青色の画像光がそれぞれ生成される。
【００６５】
クロスダイクロイックプリズム４０は、上述した不図示の射出側偏光板の各々から射出された画像光を合成してカラー画像を形成する。具体的に、クロスダイクロイックプリズム４０は、４つの直角プリズムを貼り合わせてなる略立方体形状の光学部材であり、直角プリズム同士を貼り合わせた略Ｘ字状の界面には、誘電体多層膜が形成されている。略Ｘ字状の一方の界面に形成された誘電体多層膜は赤色光を反射するものであり、他方の界面に形成された誘電体多層膜は青色光を反射するものである。これらの誘電体多層膜によって赤色光及び青色光は曲折され、緑色光の進行方向と揃えられることにより、３つの色光が合成される。投射光学系５０は、クロスダイクロイックプリズム４０で合成されたカラー画像をスクリーンＳＣＲに向けて拡大投射する。
【００６６】
信号処理部６０は、明るさパラメータ抽出部６１（目標光量算出部）、伸張処理部６２、及び液晶駆動部６３を備えており、外部から入力される画像信号Ｖ１の信号処理を行って光源制御装置１で用いられる目標光量信号Ｓ１及び液晶光変調装置３０Ｒ，３０Ｇ，３０Ｂで用いられる画像信号を生成する。
【００６７】
明るさパラメータ抽出部６１は、画像信号Ｖ１に基づいて表示されるべき画像の明るさの代表値を示す情報である明るさパラメータを抽出する。例えば、画像信号Ｖ１を複数のブロック（例えば４画素×４画素からなるブロック）に分割し、各ブロックに含まれる画素の輝度の平均値を算出し、それら平均値の最大値を明るさパラメータとして抽出する。この明るさパラメータは、照明装置１０に設けられた光源制御装置１に目標光量信号Ｓ１として出力される。ここで、図７に示す通り、光源制御装置１（正確には、光源制御装置１が備えるデューティー比決定部２）には、明るさパラメータ抽出部６１からの目標光量信号Ｓ１以外に、ホワイトバランスを制御する制御信号Ａ１も入力されている。
【００６８】
伸張処理部６２は、明るさパラメータ抽出部６１で抽出された明るさパラメータに基づいて、外部から入力される画像信号Ｖ１に伸張処理を行う。例えば、画像信号Ｖ１に基づいて表示可能な画像の階調が２５５階調であり、抽出された明るさパラメータが２００階調目の明るさを示すものである場合には、画像信号Ｖ１に対して係数α＝（２５５／２００）を乗算する処理を行う。かかる伸張処理を行うことにより、液晶光変調装置３０Ｒ，３０Ｇ，３０Ｂのダイナミックレンジを最大活かした高コントラストの画像の表示が可能になる。液晶駆動部６３は、伸張処理部６２で伸張処理が行われた画像信号から、液晶光変調装置３０Ｒ，３０Ｇ，３０Ｂの各々を駆動する駆動信号を生成する。
【００６９】
上記構成のプロジェクターＰＪに画像信号Ｖ１が入力されると、信号処理部６０の明るさパラメータ抽出部６１で明るさパラメータが抽出され、目標光量信号Ｓ１として光源制御装置１に出力される。光源制御装置１に目標光量信号Ｓ１が入力されると、前述した通り、テーブルＴ１を用いたデューティー比の決定、ＰＷＭ信号Ｓ１１〜Ｓ１４の生成、及び駆動信号Ｓ１〜Ｓ４の生成が行われて固体光源アレイ１１が駆動される。
【００７０】
他方、明るさパラメータ抽出部６１で抽出された明るさパラメータは、画像信号Ｖ１とともに伸張処理部６２に出力され、伸張処理部６２において画像信号Ｖ１の伸張処理が行われる。そして、液晶駆動部６３において、伸張処理が行われた画像信号に基づいて駆動信号が生成されて、液晶光変調装置３０Ｒ，３０Ｇ，３０Ｂが駆動される。
【００７１】
ここで、本実施形態のプロジェクターＰＪは、固体光源アレイ１１から射出される光の光量変化を低減させるとともにフリッカーの周波数成分を４倍に上昇させ、或いは、固体光源アレイ１１から射出される光のフリッカーを完全に消失させることができる光源制御装置１を備えている。このため、固体光源アレイ１１から射出される光を液晶光変調装置３０Ｒ，３０Ｇ，３０Ｂで変調しても液晶光変調装置３０Ｒ，３０Ｇ，３０Ｂでの特性に影響されることなくフリッカーやスクロールノイズの発生を低減或いは防止することができる。
【００７２】
尚、光源制御装置１に代えて光源制御装置１′を備える構成の場合、或いは、固体光源アレイ１１及びコリメーターレンズアレイ１２に代えてランプユニットＵを備えるとともに光源制御装置１に代えて光源制御装置１″を備える構成の場合であっても、光量変化の低減及びフリッカーの周波数成分の上昇を図ることが可能である。このため、このような構成の場合にも液晶光変調装置３０Ｒ，３０Ｇ，３０Ｂでの特性に影響されることなくフリッカーやスクロールノイズの発生を低減或いは防止することができる。
【００７３】
以上、本発明の実施形態による光源制御装置及び方法並びにプロジェクターについて説明したが、本発明は上記実施形態に制限されず、本発明の範囲内で自由に変更が可能である。例えば、以下に示す変形例が可能である。
【００７４】
（１）上記実施形態では、固体光源アレイ１１に配列形成された固体光源１１ａが半導体レーザーである場合を例に挙げて説明したが、本発明はこれに限定されるものではない。例えば、固体光源が発光ダイオードである固体光源アレイにも本発明を適用することができる。
【００７５】
（２）上記実施形態では、固体光源が面状に配列されている例について説明したが、本発明はこれに限定されるものではない。例えば、固体光源が線状に配列されている場合にも本発明を適用することが可能である。加えて、上記実施形態では、基板ＳＢの縦方向及び横方向に一定の間隔で固体光源が配列されている例について説明したが、ハニカム状に配列されていても良い。ここで、ハニカム状とは、正六角形を平面上に隙間無く並べた場合の各交点に固体光源が位置する配列をいう。
【００７６】
（３）上記実施形態では、プロジェクターとして透過型のプロジェクターを例に挙げて説明したが、本発明はこれに限定されるものではない。例えば、反射型のプロジェクターにも本発明を適用することができる。ここで、「透過型」とは、透過型の液晶表示装置等のように光変調装置が光を透過すものであることを意味し、「反射型」とは、反射型の液晶表示装置等のように光変調装置が光を反射するものであることを意味する。反射型のプロジェクターに本発明を適用した場合にも、透過型のプロジェクターと同様の効果を得ることができる。
【００７７】
（４）上記実施形態では、光変調装置として液晶光変調装置を用いる例について説明したが、本発明はこれに限定されるものではない。光変調装置としては、一般に、画像信号に応じて入射光を変調するものであればよく、ライトバルブやマイクロミラー型光変調装置等を用いても良い。マイクロミラー型光変調装置としては、例えばＤＭＤ（デジタルマイクロミラーデバイス）（ＴＩ社の商標）を用いることができる。
【００７８】
（５）本発明は、投射画像を観察する側から投射するフロント投射型プロジェクターに適用することも、投射画像を観察する側とは反対の側から投射するリア投射型プロジェクターに適用することも可能である。
【符号の説明】
【００７９】
１，１′，１″…光源制御装置、２…デューティー比決定部、３…ＰＷＭ信号生成部、４ａ〜４ｄ…光源駆動部、５…デューティー比選択部、６…駆動電流制御部、７ａ〜７ｄ…光源駆動部、８…極性反転信号生成部、１１…固体光源アレイ、１１ａ…固体光源、３０Ｒ，３０Ｇ，３０Ｂ…液晶光変調装置、５０…投射光学系、６１…明るさパラメータ抽出部、６２…伸張処理部、ＰＪ…プロジェクター、Ｓ１…目標光量信号、Ｓ１１〜Ｓ１４…ＰＷＭ信号、Ｓ３１，Ｓ３２…極性反転信号、ＳＣＲ…スクリーン、Ｔ１，Ｔ２…テーブル、Ｕ…ランプユニット、Ｕ１，Ｕ２…ランプ、Ｖ１…画像信号
【図１】
0005769046.tif 000002
【図２】
0005769046.tif 000003
【図３】
0005769046.tif 000004
【図４】
0005769046.tif 000005
【図５】
0005769046.tif 000006
【図６】
0005769046.tif 000007
【図７】
0005769046.tif 000008